(57)【特許請求の範囲】
【請求項１】
頭部に装着して使用し、音声及び映像の少なくとも一方を出力する出力装置であって、
頭部に装着するための２つの固定部と、前記固定部を連結する連結部とを有し、
前記固定部及び前記連結部の少なくとも一方に第一の操作部材が配置され、
前記第一の操作部材のうちの少なくとも一部は、実行される機能が変化し、
前記連結部または前記固定部に接続していて、使用者の片眼に映像を表示する表示部を有し、
前記第一の操作部材のうちの前記実行される機能が変化する操作部材は、前記表示部を観察する前記片眼の左右の切り替えに応じて機能が変化することを特徴とする出力装置。
【請求項２】
前記表示部を観察する前記片眼の左右を切り替えた場合に、前記第一の操作部材においては、当該操作部材前後の配置によって決まる機能が切り替え前と同じとなるように部材の操作により実行される機能が変更されることを特徴とする請求項１に記載の出力装置。
【請求項３】
前記出力装置と有線又は無線で接続され、前記出力装置又は前記出力装置と接続された装置を操作するための第二の操作部材を有し、前記第一の操作部材と前記第二の操作部材は、両操作部材の少なくとも一部が同じ機能を持ち、前記表示部を観察する前記片眼の左右を切り替えた場合に、前記第一の操作部材においては、当該操作部材前後の配置によって決まる機能が切り替え前と同じとなるように部材の操作により実行される機能が変更され、前記第二の操作部材においては、前記第一の操作部材において機能が変更された部材に相当する部材の操作により実行される機能が変更されないことを特徴とする請求項１に記載の出力装置。
【請求項４】
前記第一の操作部材のうち、前記表示部を観察する前記片眼の左右を切り替えた場合に、実行される機能が変更される操作部材には、操作部材の操作により実行される動作が記載されていないことを特徴とする請求項２又は請求項３に記載の出力装置。
【請求項５】
前記固定部または前記連結部に装着時の左右方向を回動軸として回動可能に取り付けられた支持アームを有し、前記表示部は前記支持アームの先端部に取り付けられ、前記支持アームを約１８０°回動させ、かつ、前記固定部の装着の左右を入れ替えることにより、前記表示部を観察する前記片眼の左右の切り替えを行い、前記第一の操作部材は、前後対称に取り付けられ、互いに対称の位置にある前記第一の操作部材は同一の機能を有し、かつ、当該出力装置の装着の向きに応じて前記互いに対象の位置にある第一の操作部材の一方のみが有効とされることにより、前記第一の操作部材のうちの一部の実行される機能が変化することを特徴とする請求項１に記載出力装置。
【請求項６】
前記第一の操作部材が取り付けられている固定部に、前後対称に、指置き部が設けられていることを特徴とする請求項５に記載の出力装置。
【請求項７】
前記第一の操作部材は基材の上に設けられ、前記基材を前後にスライドさせることにより、前記互いに対称の位置にある前記第一の操作部材の一方のみが、前記固定部の外部に飛び出して操作可能となり、そのとき、他方の前記第一の操作部材は、固定部の中に隠れて、外部から操作不可能となることを特徴とする請求項５又は請求項６に記載の出力装置。
【請求項８】
前記固定部を覆うカバーを有し、前記カバーは、前記基材のスライドを防止する機能を有するものであることを特徴とする請求項７に記載の出力装置。
【請求項９】
前記固定部を覆うカバーを有し、前記カバーは、前記互いに対称の位置にある前記第一の操作部材の一方を覆い、他方を覆わないものであり、これにより、前記互いに対称の位置にある前記第一の操作部材の一方のみが操作可能とされていることを特徴とする請求項５又は請求項６に記載の出力装置。
【請求項１０】
頭部に装着して使用し、音声及び映像の少なくとも一方を出力する出力装置であって、
頭部に装着するための２つの固定部と、前記固定部を連結する連結部とを有し、
前記固定部及び前記連結部の少なくとも一方に第一の操作部材が配置され、
前記第一の操作部材のうちの少なくとも一部は、実行される機能が変化し、
前記第一の操作部材は、動作モードに応じて実行される機能が変化する少なくとも２つの第三の操作部材と、機能が１つのみである少なくとも２つの第四の操作部材とからなり、前記第四の操作部材は、前記第三の操作部材の並び方向と並び方向が異なるように配列されていることを特徴とする出力装置。
【請求項１１】
前記第四の操作部材は、前記第三の操作部材をなす少なくとも２つの操作部材に挟まれるように配置されていることを特徴とする請求項１０に記載の出力装置。
【請求項１２】
前記第三の操作部材又は前記第四の操作部材と、前記第四の操作部材のうち少なくとも１つとを結ぶ線に沿って、指の接触に分かるようにするための、ガイド部が設けられていることを特徴とする請求項１１に記載の出力装置。
【請求項１３】
前記ガイド部は直線状のものではないことを特徴とする請求項１２に記載の出力装置。
【請求項１４】
前記ガイド部材は、人の指の長さとほぼ一致する半径の円弧の一部の形状を有し、人の指の長さとほぼ一致する半径の円弧上に並んでいることを特徴とする謂求項１３に記載の出力装置。
【発明の詳細な説明】
【技術分野】
【０００１】
本発明は、出力装置に関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々提案され、ヘッドマウントディスプレイと呼ばれている。このようなヘッドマウントディスプレイの例は、例えばＷＯ２００４／０６１５１９Ａ１公報（特許文献１）に記載されている。【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。このようなヘッドマウントディスプレイは、通常は、映像を表示する表示部と音声を出力するヘッドホーンとを有している。又、出力装置の一種であるヘッドホーンは、音楽観賞用の音声出力機器として広く使用されている。【０００４】
このようなヘッドマウントディスプレイを操作する操作部品（スイッチ等）は、頭部に装着される本体部と別のコントロールボックス等に設けてもよいが、これらの操作部品を、頭部に装着されるヘッドマウントディスプレイ本体部のヘッドホーン部や、ヘッドホーンの保持部に取り付ける試みがなされている。
【特許文献１】ＷＯ２００４／０６１５１９Ａ１公報
【特許文献２】特開２００４−２３３７７６号公報
【発明の開示】
【発明が解決しようとする課題】
【０００５】
片眼用ヘッドマウントディスプレイにおいては、連結部により連結された２つのヘッドホーン部と、前記ヘッドホーン部の一つに、装着時の左右方向を回動軸として回動可能に取り付けられた支持アームと、前記支持アームの先端部に取り付けられ、使用者の片眼に映像を表示する表示部とを有し、前記支持アームを約１８０°回動させ、かつ、前記ヘッドホーンの装着の左右を入れ替えることにより、映像を表示する眼の左右を入れ替える機能を有するものが主流となりつつある。このようなヘッドマウントディスプレイの例として、特開２００４−２３３７７６号公報（特許文献２）に記載されるようなものが知られている。【０００６】
このようなヘッドマウントディスプレイにおいては、ヘッドホーン部に操作部品を取り付けた場合、ヘッドマウントディスプレイを左眼用として使用する場合と右眼用として使用する場合とで、操作部品の取り付け位置の前後が入れ替わってしまい、そのために操作がしにくいという問題点がある。この対策として、例えば特開２００４−２３３７７６号公報（特許文献２）では画面にボタンを表示することで解決しているが、画面レイアウトに制約を受けてしまう。又、ヘッドマウントディスプレイの操作を、リモートコントロールボックス等で行う場合もあるが、この場合には、ケーブルが邪魔になったり、リモートコントロールボックス等を紛失したりするという問題がある。【０００７】
また、操作部材を、ヘッドホーンの保持部に取り付ける場合には、保持部の大きさが限られているので、多数の操作部材を配置することができない。【０００８】
本発明は、左眼用、右眼用に切り替えて使用可能な映像出力装置であっても、操作部品を操作しやすい出力装置を提供すること、操作部材の配列を工夫することにより、多数の操作部材を配置しても、各操作部材の機能の判別が容易な出力装置を提供することを課題とする。
【課題を解決するための手段】
【０００９】
前記課題を解決する第１の手段は、頭部に装着して使用し、音声及び映像の少なくとも一方を出力する出力装置であって、
頭部に装着するための２つの固定部と、前記固定部を連結する連結部とを有し、
前記固定部及び前記連結部の少なくとも一方に第一の操作部材が配置され、
前記第一の操作部材のうちの少なくとも一部は、実行される機能が変化し、
前記連結部または前記固定部に接続していて、使用者の片眼に映像を表示する表示部を有し、
前記第一の操作部材のうちの前記実行される機能が変化する操作部材は、前記表示部を観察する前記片眼の左右の切り替えに応じて機能が変化することを特徴とするものである。
【００１１】
前記課題を解決する第２の手段は、前記第１の手段であって、前記表示部を観察する前記片眼の左右を切り替えた場合に、前記第一の操作部材においては、当該操作部材前後の配置によって決まる機能が切り替え前と同じとなるように部材の操作により実行される機能が変更されることを特徴とするものである。
【００１２】
前記課題を解決する第３の手段は、前記第１の手段であって、前記出力装置と有線又は無線で接続され、前記出力装置又は前記出力装置と接続された装置を操作するための第二の操作部材を有し、前記第一の操作部材と前記第二の操作部材は、両操作部材の少なくとも一部が同じ機能を持ち、前記表示部を観察する前記片眼の左右を切り替えた場合に、前記第一の操作部材においては、当該操作部材前後の配置によって決まる機能が切り替え前と同じとなるように部材の操作により実行される機能が変更され、前記第二の操作部材においては、前記第一の操作部材において機能が変更された部材に相当する部材の操作により実行される機能が変更されないことを特徴とするものである。
【００１３】
前記課題を解決する第４の手段は、前記第２の手段又は第３手段であって、前記第一の操作部材のうち、前記表示部を観察する前記片眼の左右を切り替えた場合に、実行される機能が変更される操作部材には、操作部材の操作により実行される動作が記載されていないことを特徴とするものである。
【００１４】
前記課題を解決する第１０の手段は、頭部に装着して使用し、音声及び映像の少なくとも一方を出力する出力装置であって、
頭部に装着するための２つの固定部と、前記固定部を連結する連結部とを有し、
前記固定部及び前記連結部の少なくとも一方に第一の操作部材が配置され、
前記第一の操作部材のうちの少なくとも一部は、実行される機能が変化し、
前記第一の操作部材は、動作モードに応じて実行される機能が変化する少なくとも２つの第三の操作部材と、機能が１つのみである少なくとも２つの第四の操作部材とからなり、前記第四の操作部材は、前記第三の操作部材の並び方向と並び方向が異なるように配列されていることを特徴とするものである。
【００１５】
前記課題を解決する第１１の手段は、前記第１０の手段であって、前記第四の操作部材は、前記第三の操作部材をなす少なくとも２つの操作部材に挟まれるように配置されていることを特徴とするものである。
【００１６】
前記課題を解決する第１２の手段は、前記第１１の手段であって、前記第三の操作部材又は前記第四の操作部材と、前記第四の操作部材のうち少なくとも１つとを結ぶ線に沿って、指の接触に分かるようにするための、ガイド部が設けられていることを特徴とするものである。
【００１７】
前記課題を解決する第１３の手段は、前記第１２の手段であって、前記ガイド部は直線状のものではないことを特徴とするものである。
【００１８】
前記課題を解決する第１４の手段は、前記第１３の手段であって、前記ガイド部材は、人の指の長さとほぼ一致する半径の円弧の一部の形状を有し、人の指の長さとほぼ一致する半径の円弧上に並んでいることを特徴とするものである。
【００１９】
前記課題を解決する第５の手段は、前記第１の手段であって、前記固定部または前記連結部に装着時の左右方向を回動軸として回動可能に取り付けられた支持アームを有し、前記表示部は前記支持アームの先端部に取り付けられ、前記支持アームを約１８０°回動させ、かつ、前記固定部の装着の左右を入れ替えることにより、前記表示部を観察する前記片眼の左右の切り替えを行い、前記第一の操作部材は、前後対称に取り付けられ、互いに対称の位置にある前記第一の操作部材は同一の機能を有し、かつ、当該出力装置の装着の向きに応じて前記互いに対象の位置にある第一の操作部材の一方のみが有効とされることにより、前記第一の操作部材のうちの一部の実行される機能が変化することを特徴とするものである。
【００２０】
前記課題を解決する第６の手段は、前記第５の手段であって、前記第一の操作部材が取り付けられている固定部に、前後対称に、指置き部が設けられていることを特徴とするものである。
【００２１】
前記課題を解決する第７の手段は、前記第５の手段又は第６の手段であって、前記第一の操作部材は基材の上に設けられ、前記基材を前後にスライドさせることにより、前記互いに対称の位置にある前記第一の操作部材の一方のみが、前記固定部の外部に飛び出して操作可能となり、そのとき、他方の前記第一の操作部材は、固定部の中に隠れて、外部から操作不可能となることを特徴とするものである。
【００２２】
前記課題を解決する第８の手段は、前記第７の手段であって、前記固定部を覆うカバーを有し、前記カバーは、前記基材のスライドを防止する機能を有するものであることを特徴とするものである。
【００２３】
前記課題を解決する第９の手段は、前記第５又は第６の手段であって、前記固定部を覆うカバーを有し、前記カバーは、前記互いに対称の位置にある前記第一の操作部材の一方を覆い、他方を覆わないものであり、これにより、前記互いに対称の位置にある前記第一の操作部材の一方のみが操作可能とされていることを特徴とするものである。
【発明の効果】
【００２４】
本発明によれば、左眼用、右眼用に切り替えて使用可能な映像出力装置であっても、操作部品を操作しやすい出力装置を提供すること、操作部材の配列を工夫することにより、多数の操作部材を配置しても、各操作部材の機能の判別が容易な出力装置を提供することができる。
【図面の簡単な説明】
【００２５】
【図１】本発明の第１の実施の形態であるヘッドマウントディスプレイの概要を示す図である。
【図２】本発明の第２の実施の形態であるヘッドマウントディスプレイの概要を示す図である。
【図３】操作部材の配列の例を示す図である。
【図４】本発明の第３の実施の形態であるヘッドマウントディスプレイの概要を示す図である。
【図５】本発明の第４の実施の形態であるヘッドマウントディスプレイの概要を示す図である。
【図６】本発明の第５の実施の形態であるヘッドマウントディスプレイの概要を示す図である。
【符号の説明】
【００２６】
１…ヘッドマウントディスプレイ、２…ヘッドホーン、３…ヘッドホーン、４…連結部、５…支持アーム、６…表示部、７…十字キー、８…コントロールボックス、９…ケーブル、１０…十字キー、１１…イヤーパッド、１２…イヤーパッド、１３…保持部、１４…保持部、１５…ヘッドバンド部、１６…表示部、１７…表示部アーム、１８…回動部、１９…操作部、２０…押しボタンスイッチ、２１…押しボタンスイッチ、２３…押しボタンスイッチ、２４…ダイヤル、３１…押しボタンスイッチ、３２…押しボタンスイッチ、３３…押しボタンスイッチ、３４…押しボタンスイッチ、３５…ダイヤル、３６…ダイヤル、３７ａ〜３７ｄ…ガイド部材、４１…押しボタンスイッチ、４２…押しボタンスイッチ、４３…押しボタンスイッチ、４４…押しボタンスイッチ、４５…ダイヤル、４６ａ〜４６ｄ…ガイド部材、５１…押しボタンスイッチ、５２…押しボタンスイッチ、５３…押しボタンスイッチ、５４…押しボタンスイッチ、５５…ダイヤル、５６ａ…ガイド部材、５６ｂ…ガイド部材、６１…押しボタンスイッチ、６２…押しボタンスイッチ、６３…押しボタンスイッチ、６４…押しボタンスイッチ、６５…ダイヤル、６６…ダイヤル、６７ａ…ガイド部材、６７ｂ…ガイド部材、７１…ヘッドマウントディスプレイ、７２…ヘッドホーン、７３…ヘッドホーン、７４…連結部、７５…支持アーム、７６…表示部、７７…押さえ部材、７８…回動部材、７９Ｌ…操作部品、７９Ｒ…操作部品、８０Ｌ…指かけ、８０Ｒ…指かけ、８１…基板、８２…カバー
【発明を実施するための最良の形態】
【００２７】
以下、本発明の実施の形態の例を、図を用いて説明する。図１は、本発明の第１の実施の形態の１例であるヘッドマウントディスプレイ（出力装置）の概要を示す図である。図１において、（ａ）は、ヘッドマウントディスプレイ１を左眼用として使用する場合の図を示し、（ｂ）は、ヘッドマウントディスプレイ１を右眼用として使用する場合の図を示す。【００２８】
ヘッドマウントディスプレイ１においては、２つの固定部であるヘッドホーン２、３が、連結部４により連結されており、連結部４は弾性を有している。装着時には、ヘッドホーン２、３により両耳を挟んで連結部４の弾性により押さえつける形で装着する。ヘッドホーン３には、支持アーム５が装着時の左右方向を回動軸として回動可能なように取り付けられており、その先端部には、使用者の眼に映像を表示する表示部６が取り付けられている。【００２９】
ヘッドホーン２には、第１の操作部材である十字キー７が取り付けられている。この例では、十字キー７の上下のキーは上が音量の増加、下が音量の減少を指示するものであり、前側のキーが演奏、後側のキーが巻き戻しを指示するものであるが、これらの表示は刻印されていない。【００３０】
又、ヘッドホーン２にはコントロールボックス８がケーブル９を介して取り付けられ、コントロールボックス８には第２の操作部材である十字キー１０が取り付けられている。十字キー７と十字キー１０とは同じ機能を果たすようにされており、使用者が好みによりどちらかを適宜選択して使用できるようになっている。なお、コントロールボックス８は、コネクタ等により、ヘッドホーン２から着脱可能として、使用者の好みにより、十字キー７を操作するか、十字キー１０を操作するかを選択するようにしてもよい。ヘッドホーン２とコントロールボックス８の間の信号のやりとりを無線により行ってもよい。【００３１】
この状態から、支持アーム５と連結部４を１８０°回動させ、装着の左右を入れ替えることにより、ヘッドマウントディスプレイ１は、図１（ｂ）に示すように右眼用のものとする。すると、十字キー７の上下が入れ替わってしまう。これに対応するように、図１（ａ）で上側のキーに割り当てられた機能を、下側のキーに割り当て、図１（ａ）で下側のキーに割り当てられた機能を、上側のキーに割り当てて、（ｂ）の状態になったときに、図１（ａ）で上側のキーに割り当てられた機能が上側のキーに、下側のキーに割り当てられた機能が下側のキーに、それぞれ割り当てられるように機能を変更する。十字キー１０については、キーの機能を変更する必要がないので、そのままとする。【００３２】
前述のように、ヘッドホーン２においては、十字キー７の機能を表示する刻印がないのは、このように、キーの機能が、装着の左右に応じて変更されるからである。これに対して、コントロールボックス８においては、十字キー１０の機能が変わらないので、その機能を刻印等により表示しても構わない。【００３３】
なお、第１の実施の形態のヘッドマウントディスプレイにおいては、コントロールボックス８が無くてもよい。【００３４】
図２は、本発明の第２の実施の形態であるヘッドマウントディスプレイ（出力装置）の概要を示す図であり、（ａ）は斜視図、（ｂ）は、（ａ）においてヘッドマウントディスプレイを左側から見た図である。このヘッドマウントディスプレイは、両耳を左右から押さえてヘッドマウントディスプレイを頭部に固定する固定部であるイヤーパッド１１、１２を備えている。各イヤーパッド１１、１２の中にはスピーカーが設けられ、それぞれの耳に音声を出力する。各イヤーパッド１１、１２は、自在ヒンジを介して保持部１３、１４に固定されている。左右の保持部１３、１４は、ヘッドバンド部５内に摺動自在に差し込まれ、ヘッドバンド部１５により連結されている。ヘッドバンド部１５は弾力性を有し、イヤーパッド１１、１２を左右から耳部に押し付ける付勢力を与える。表示部１６は、表示部アーム１７に保持され、表示部アーム１７は、回動部１８を介して保持部１４に結合されていて、装着時の前後方向に回動可能となっている。なお、左右の保持部１３、１４とヘッドバンド部１５とが連結部を構成している。【００３５】
保持部１３には操作部１９が設けられ、操作部１９には第一の操作部材である押しボタンスイッチ２０、２１、２２、２３とダイヤル２４が設けられている。このうち、押しボタンスイッチ２０、２１には、モードによって異なる２つ以上の機能が与えられ（以下、このようなものを第三の操作部材という）、押しボタンスイッチ２２，２３とダイヤル２４には、単一の機能が与えられている（以下、このようなものを第四の操作部材という）。押しボタンスイッチ２０、２１は水平方向に並んで配列され、押しボタンスイッチ２２，２３とダイヤル２４は垂直方向に並んで配列されている。よって、使用者は、操作部材の配列の方向により、各々の操作部材が第三の操作部材か第四の操作部材かを識別することができる。【００３６】
例えば、メニューを操作する画面においては、スイッチ２１をＯＫボタン、スイッチ２０をキャンセルボタンとして使用し、ダイヤル２４をカーソルの上下方向の移動に使用する。又、音楽等の再生画面においては、スイッチ２１を早送りボタン、スイッチ２０を巻き戻しボタン、スイッチ２２を再生・停止ボタンとして使用する。本実施の形態のように、共用するスイッチ２０、２１の間に、共用しないスイッチ２２、ダイヤル２４を挟み込むように配置することにより、指の移動量を減らすことができ、操作性の向上を図ることができる。【００３７】
図３は、第一の操作部材の配列の例を示す図である。図３（ａ）において、押しボタンスイッチ３１、３２は第三の操作部材であり水平方向に並んで配列されている。押しボタンスイッチ３３、３４、及びダイヤル３５、３６は第四の操作部材であり垂直方向に並んで配列されている。そして、押しボタンスイッチ３１とダイヤル３５を結ぶ線（Ｌ字型）に沿ってガイド部材３７ａが、押しボタンスイッチ３１とダイヤル３６とを結ぶ線（Ｌ字型）に沿ってガイド部材３７ｂが、押しボタンスイッチ３２とダイヤル３６とを結ぶ線（Ｌ字型）に沿ってガイド部材３７ｃが、押しボタンスイッチ３２とダイヤル３５とを結ぶ線（Ｌ字型）に沿ってガイド部材３７ｄが設けられている。よって操作者は、これらのガイド部材を指でたどることによって操作部材同士の位置関係が分かり、操作部材の機能を識別することが容易となる。【００３８】
図３（ｂ）は、第一の操作部材の配列の別の例を示すもので、押しボタンスイッチ４１、４２は第三の操作部材であり水平方向に並んで配列されている。押しボタンスイッチ４３、４４、及びダイヤル４５が第四の操作部材であり垂直方向に並んで配列されている。そして、押しボタンスイッチ４１と押しボタンスイッチ４３を結ぶ線（円弧状）に沿ってガイド部材４６ａが、押しボタンスイッチ４１とダイヤル４５とを結ぶ線（円弧状）に沿ってガイド部材４６ｂが、押しボタンスイッチ４２とダイヤル４５とを結ぶ線（円弧状）に沿ってガイド部材４６ｃが、押しボタンスイッチ４２と押しボタンスイッチ４３とを結ぶ線（円弧状）に沿ってガイド部材４６ｄが設けられている。【００３９】
図３（ｃ）は、第一の操作部材の配列のさらに別の例を示すもので、押しボタンスイッチ５１、５２は第三の操作部材であり水平方向に並んで配列されている。押しボタンスイッチ５３、５４、及びダイヤル５５が第四の操作部材であり垂直方向に並んで配列されている。そして、押しボタンスイッチ５１と押しボタンスイッチ５３を結ぶ線（円弧状）に沿ってガイド部材５６ａが、押しボタンスイッチ５２と押しボタンスイッチ５３とを結ぶ線（円弧状）に沿ってガイド部材５６ｂが設けられている。この例においては、押しボタンスイッチ５１、押しボタンスイッチ５２、ガイド部材５６ａ、ガイド部材５６ｂは、人の指の長さ（本実施の形態では、人差し指又は中指等）とほぼ一致する半径の円弧の一部の形状を有し、人の指の長さとほぼ一致する半径の円弧上に並んでいる。よって、指で触って位置を確かめることがより容易になる。【００４０】
図３（ｄ）は、第一の操作部材の配列のさらに別の例を示すもので、押しボタンスイッチ６１、６２は第三の操作部材であり水平方向に並んで配列されている。押しボタンスイッチ６３、６４、及びダイヤル６５、６６が第四の操作部材であり垂直方向に並んで配列されている。そして、押しボタンスイッチ６１とダイヤル６６を結ぶ線（直線状）に沿ってガイド部材６７ａが、押しボタンスイッチ６２とダイヤル６６とを結ぶ線（直線状）に沿ってガイド部材６７ｂが設けられている。【００４１】
なお、ガイド部材はなるべく直線状としない方が、操作上好ましい。また、第２の実施の形態であるヘッドマウントディスプレイにおいて、表示部１６を観察する片眼の左右を切り替えたときに、押しボタンスイッチ２０の機能と押しボタンスイッチ２１の機能を交換するようにしてもよい。【００４２】
図４は、本発明の第３の実施の形態であるヘッドマウントディスプレイ（出力装置）の概要を示す図である。ヘッドマウントディスプレイ７１においては、２つの固定部であるヘッドホーン７２、７３が、連結部７４により連結されており、連結部７４は弾性を有している。装着時には、ヘッドホーン７２、７３により両耳を挟んで連結部７４の弾性により押さえつける形で装着する。ヘッドホーン７３には、支持アーム７５が装着時の左右方向を回動軸として回動可能なように取り付けられており、その先端部には、使用者の眼に映像を表示する表示部７６が取り付けられている。すなわち、ヘッドホーン７３と、押さえ部材７７との間（ヘッドホーン７３と押さえ部材７７とは相対的に移動しない）に、回動部材７８が嵌め込まれており、回動部材７８に支持アーム７５が取り付けられている。ヘッドホーン７２がヘッドホーン部に相当すると共に、ヘッドホーン７３、押さえ部材７７、回動部材７８を併せたものが別のヘッドホーン部に相当する。【００４３】
図４は、ヘッドマウントディスプレイを左眼用として使用している状態を示しているが、図４の実線の状態から、支持アーム５を１８０°回動させて２点鎖線で示す状態とし、かつ、ヘッドホーン７２、７３の装着の左右を入れ替えることにより右眼用のヘッドマウントディスプレイとして使用可能となる。【００４４】
押さえ部材７７には、第一の操作部材である操作部品７９Ｒと７９Ｌが、前後対称位置に設けられている。操作部品７９Ｒ、操作部品７９Ｌは、図ではそれぞれ５個設けられており、これを手で操作することにより、ヘッドマウントディスプレイ７１を操作する。なお、操作がし易いように、押さえ部材７７には、指かけ８０Ｒと８０Ｌが、前後対称の位置に設けられている。互いに対称の位置にある操作部品は同一の機能を有している。【００４５】
ヘッドマウントディスプレイ７１を左眼用として使用するときは、押さえ部材７７の前側に設けられている操作部品７９Ｌを操作する。このとき、操作部品７９Ｒの操作は無効とされている。例えば、支持アーム７５の回動の向きを検出することにより、このヘッドマウントディスプレイ７１が左眼用として使用されていることを検出し、操作部品７９Ｌの動作を有効、操作部品７９Ｒの動作を無効とする。【００４６】
ヘッドマウントディスプレイ７１を右眼用として使用するときは、押さえ部材７７の後側に設けられている７９Ｒを操作する（図１においては、後側であるが、右眼用として使用するときには押さえ部材７７の前後が反転しているので、使用者は自分にとって前側の操作部品を操作することになる。）。このとき、操作部品７９Ｌの操作は無効とされている。例えば、支持アーム７５の回動の向きを検出することにより、このヘッドマウントディスプレイ７１が右眼用として使用されていることを検出し、操作部品７９Ｒの動作を有効、操作部品７９Ｌの動作を無効とする。【００４７】
以上説明したように、この実施の形態によれば、ヘッドマウントディスプレイ７１が左眼用として使用されるときでも右眼用として使用されるときでも、使用者は、自分にとって押さえ部材７７の前側にある操作部品を操作すればよいので、使用に際してまごつかなくて済む。【００４８】
図５は、本発明の第４の実施の形態であるヘッドマウントディスプレイの概要を示す図である。【００４９】
図５に示す実施の形態においては、操作部品７９Ｒと操作部品７９Ｌが基板８１に設けられており、基板８１が、押さえ部材７７の中を前後にスライドするようになっている。そして、図５（ｂ）に示すように、操作部品７９Ｌが基板８１の外部に飛び出しているときは操作部品７９Ｒは基板８１の内部に隠れ、図５（ｃ）に示すように、操作部品７９Ｒが基板８１の外部に飛び出しているときは操作部品７９Ｌは基板８１の内部に隠れるようになっている。【００５０】
よって、ヘッドマウントディスプレイ７１を左眼用として使用するときは、図５（ａ）に実線で示すように、操作部品７９Ｌを基板８１から飛び出させて使用し、ヘッドマウントディスプレイ７１を右眼用として使用するときは、図５（ａ）に２点鎖線で示すように、操作部品７９Ｒを基板８１から飛び出させて使用すれば、使用者は、常に押さえ部材７７の前側にある操作部品を使用することができ、かつ、使用しない後側の操作部品に手が触れることを防止することができる。よって、この場合には、操作部品７９Ｒと操作部品７９Ｌの一方のみが有効であるようにする電気的制御が不要となる。【００５１】
図６は、本発明の第５の実施の形態であるヘッドマウントディスプレイの概要を示す図である。図６における実施の形態においては、ヘッドマウントディスプレイ７１の基本構成は図５に示すものと同じであるが、基板８１を覆うカバー８２を有するところのみが異なっている。カバー８２は、基板８１の片側の突出部に対応する切り欠き部８２ａを有するので、基板８１の突出部と機械的に干渉せずに基板８１に嵌め込むことができる。【００５２】
カバー８２が基板８１に嵌め込まれると、図６において、基板６１を押さえ部材７７の後方にスライドすることができなくなるので、使用中に基板８１がスライドして、操作がしにくくなることを防止することができる。ヘッドマウントディスプレイ７１が右眼用として使用されているときは、図４の状態からカバー８２を１８０°回転して、押さえ部材７７に被せればよい。【００５３】
なお、図４に示す実施の形態においても、操作部品７９Ｒと操作部品７９Ｌのいずれか一方を覆うカバーを押さえ部材７７に被せるようにすれば、他方の操作部品のみを使用するようにすることができる。
【図１】
0005163493.tif 000002
【図２】
0005163493.tif 000003
【図３】
0005163493.tif 000004
【図４】
0005163493.tif 000005
【図５】
0005163493.tif 000006
【図６】
0005163493.tif 000007